(57)【要約】      （修正有）【課題】軽量且つコンパクトで、取付操作性、生産性、着脱性、利便性に優れた釣糸クリーナーを提供する。【解決手段】一対の挟持片１０ａ、１０ｂと該一対の挟持片１０ａ、１０ｂを閉塞するように付勢するばね手段１１を有し、該一対の挟持片１０ａ、１０ｂから構成される第一挟持部１ａを一端側に備え、他端側に前記一対の挟持片１０ａ、１０ｂから構成され付勢力に抗し第一挟持部１ａの開口に伴って挟持力を生ずる第二挟持部１ｂを備え、第一挟持部１ａ若しくは第二挟持部１ｂのいずれか一方をロッド挟持部とし、他方を釣糸挟持部とした。【選択図】図１
0003217823.tif 000002
【実用新案登録請求の範囲】
【請求項１】
一対の挟持片と該一対の挟持片を閉塞するように付勢するばね手段を有し、該一対の挟持片から構成される第一挟持部を一端側に備え、他端側に前記一対の挟持片から構成され前記付勢力に抗し前記第一挟持部の開口に伴って挟持力を生ずる第二挟持部を備え、
前記第一挟持部若しくは第二挟持部のいずれか一方をロッド挟持部とし、
前記第一挟持部若しくは第二挟持部のいずれか他方を釣糸挟持部としたことを特徴とする釣糸クリーナー。
【請求項２】
前記第一挟持部をロッド挟持部とし、前記第二挟持部を釣糸挟持部としたことを特徴とする請求項１記載の釣糸クリーナー。
【請求項３】
前記釣糸挟持部には、一対の挟持片間に弾性部材を備えたことを特徴とする請求項１又は２記載の釣糸クリーナー。
【請求項４】
前記弾性部材は、クロロプレンゴム材からなる弾性部材若しくは耐水性フェルト材からなる弾性部材であることを特徴とする請求項３に記載の釣糸クリーナー。
【請求項５】
前記一対の挟持片をなす各挟持片は、夫々一体形成されていることを特徴とする請求項１、２、３又は４記載の釣糸クリーナー。
【請求項６】
前記ロッド挟持部には、着脱可能な間隙調整部材を備えたことを特徴とする請求項１、２、３、４又は５記載の釣糸クリーナー。
【考案の詳細な説明】
【技術分野】
【０００１】
本考案は、主として釣糸への付着物の除去・清掃を行うための釣糸クリーナーに関する。
【背景技術】
【０００２】
海や湖沼の水中、水面には、藻類やクラゲ等、多くの障害物があり、釣りを行っていると、これらの障害物が釣糸へ付着することも多い。
【０００３】
このような付着物は、仕掛けを投入する際や、釣糸を巻き取る際等において障害となり、時には釣果への悪影響を生ずることもある。また、付着物はリール等の釣り具を汚染しやすく、釣り具の機能性、耐久性を低下させたり、衛生面での悪影響をもたらしたりする等、様々な面で問題を生じやすい。
【０００４】
釣糸への付着物の除去や清掃を行うためのクリーニング用具としては、これまでもいくつかの考案がされており、例えば、一端を軸により枢着し、他端に止め具を設け、且つ、内側に海綿状多孔質板を取り付けた上下両翼片における下部翼片の先端延長部に挟持具を設けてなる釣糸のクリーニング用具（例えば、特許文献１参照。）が公知である。
【０００５】
また、対向する板片の端縁をばねを介してつまみで開閉することにより物体を挟持できるようにしたクリップを使用し、スポンジシートを折り曲げて重ね合わせ、その重合前部端縁を前記クリップの開閉端縁で挟持させるようにして、該折り曲げスポンジシートをクリップの対向板片間に挿入してなる釣糸掃除具（例えば、特許文献２参照。）が公知である。
【０００６】
また、発泡スチロール等の小球に、中心軸に達する切り込みを入れてできる道糸クリーナー（例えば、特許文献３参照。）が公知である。
【０００７】
更に、フライフィッシングに用いるフライラインの表面の汚れを落としたりフライライン表面に潤滑剤を塗布したりする際に使用するフライラインクリーニング用具であって、両面ファスナーバンドとスポンジとを備えて構成され、前記両面ファスナーバンドは表裏両面に係合片を有する所定幅、所定長の柔軟なバンドとして形成され、前記スポンジは厚み幅が前記両面ファスナーバンドの幅に略等しく、長手方向は前記両面ファスナーバンドの長さより短く、長手方向断面を山形又は台形にしてその頂部中央から幅狭のＶ字溝が長手向方向に直角に設けられた形状に形成され、該スポンジが前記両面ファスナーバンドの一端から所定距離離れた位置に取り付けてあることを特徴とするフライラインクリーニング用具（例えば、特許文献４参照。）が公知である。
【先行技術文献】
【特許文献】
【０００８】
【特許文献１】実公昭５７−２６６３１
【特許文献２】実開昭６１−９２２７７
【特許文献３】実開昭６０−４６８８３
【特許文献４】実登第３１４７６７３号
【考案の概要】
【考案が解決しようとする課題】
【０００９】
上記特許文献１に係る釣糸のクリーニング用具は、ロッドに当該クリーニング用具の一端を固定してリールで釣糸を巻き取ることで、釣糸の清掃を行うことが可能である。当該考案によれば、「釣竿に取付けた「リール」のやや前方位置に（ロッドに対して）挟持具により取り付けてから、上下両翼片の間に釣糸を誘導し、上下両翼片のセンタに設けた止め具により両翼片を合せ止めして」、使用するものである。
【００１０】
このため、取付操作は非常に煩雑であり、上記挟持具自体は片手で取付可能であるものの、その後に、開閉式の両翼片の操作が必要となる。開閉式の両翼片の操作しながら釣糸を都合よく挟み込む必要があり、片手で簡単に取付することは非常に困難であった。
【００１１】
また、当該構成は、その構成から金属プレス加工組立品と多孔質板等からなると大型のものであり、部品点数も多いものであった。このため、携帯性や操作性、更には生産性においても改善の余地があった。
尚、上記構成に特許文献２に開示されるような、折り曲げスポンジシートを用いた構成としても、携帯性、操作性、生産性には何らの改善も見られないことは明らかであった。
【００１２】
特許文献２に係る釣糸掃除具は、折り曲げスポンジシートと、ばねを有するクリップを有するものである。当該釣糸掃除具は、ロッドへの固定手段を有しないものであり、直接手作業によって釣糸を清掃するものである。このため、清掃操作自体は非常に煩雑なものであった。
当該特許文献に係る釣糸掃除具の前記クリップは専ら把持部として機能するものである。従って、例えば、上記特許文献１の金属プレス加工組立品として構成されロッドの固定を前提とする構成を適用することは到底できるものではなかった。更に、ロッドと糸との間隔は狭いものであるところ、ロッド側、釣糸側の双方に外方へ挟持開口を向けて設けることは、当該クリーニング用具が大きく嵩張ることとなり、全く現実的ではない。
【００１３】
特許文献３に係る道糸クリーナーは、簡単な構成であるものの、ロッドへの固定はできず、特許文献２と同様に直接手作業によって釣糸を清掃するものである。このため特許文献２と同様に清掃操作自体は非常に煩雑であった。
【００１４】
また、特許文献４に係るフライラインクリーニング用具は、ロッドに固定する構成を有するものの、ロッドを巻き付ける操作自体は片手では行えず、利便性は十分なものとは言えなかった。
【００１５】
そして、上記特許文献１、２、３、４のいずれにおいても、釣りの合間、或いは釣りを終了した後に、装着して行い、釣りを行う際には、取り外す必要がある。また、その後に再度釣糸クリーナーを使用する際にも、同様に煩雑を繰り返さなければならない。
【００１６】
本考案は以上の事情に鑑みてなされたものであり、軽量且つコンパクトで、取付操作性に優れ、更には、生産性にも優れた、新規な釣糸クリーナーの提供を、考案が解決しようとする課題とする。
【００１７】
また本考案は、使用後取り外した当該釣糸クリーナーを再使用する際にも、手軽にクリーニングを行うことができる、利便性に優れた釣糸クリーナーの提供を、考案が解決しようとする課題とする。
【００１８】
更に本考案は、当該釣糸クリーナーに過剰な負荷がかからない場合には、釣りの合間に着脱せずに、釣を行いながらクリーニングを行うことが可能となる、利便性に優れた釣糸クリーナーの提供を、考案が解決しようとする課題とする。
【課題を解決するための手段】
【００１９】
本考案は、一対の挟持片と該一対の挟持片を閉塞するように付勢するばね手段を有し、該一対の挟持片から構成される第一挟持部を一端側に備え、他端側に前記一対の挟持片から構成され前記付勢力に抗し前記第一挟持部の開口に伴って挟持力を生ずる第二挟持部を備え、前記第一挟持部若しくは第二挟持部のいずれか一方をロッド挟持部とし、前記第一挟持部若しくは第二挟持部のいずれか他方を釣糸挟持部としたことを特徴とする釣糸クリーナーを、上記課題を解決するための手段とする。
【００２０】
本考案は、上記構成において、前記第一挟持部をロッド挟持部とし、前記第二挟持部を釣糸挟持部としたことを特徴とする釣糸クリーナーを、上記課題を解決するための手段とする。
【００２１】
また本考案は、上記いずれかの考案の構成を前提として、前記釣糸挟持部には、一対の挟持片間に弾性部材を備えたことを特徴とする釣糸クリーナーを、上記課題を解決するための手段とする。
【００２２】
また本考案は、前記弾性部材が、クロロプレンゴム材、若しくは弾性部材であることを特徴とする釣糸クリーナーを、上記課題を解決するための手段とする。
【００２３】
また本考案は、上記いずれかの考案の構成を前提として、前記一対の挟持片をなす各挟持片は、夫々一体形成されていることを特徴とする釣糸クリーナーを、上記課題を解決するための手段とする。
【００２４】
また本考案は、上記いずれかの考案の構成を前提として、前記ロッド挟持部には、着脱可能な間隙調整部材を備えたことを特徴とする釣糸クリーナーを、上記課題を解決するための手段とする。
【考案の効果】
【００２５】
本考案によれば、一対の挟持片と該一対の挟持片を閉塞するように付勢するばね手段を有し、該一対の挟持片から構成される第一挟持部を一端側に備え、他端側に前記一対の挟持片から構成され前記付勢力に抗し前記第一挟持部の開口に伴って挟持力を生ずる第二挟持部を備え、前記第一挟持部若しくは第二挟持部のいずれか一方をロッド挟持部とし、前記第一挟持部若しくは第二挟持部のいずれか他方を釣糸挟持部としたことから、軽量且つコンパクトとすることができ、前記ばねの弾性力に抗して第二挟持部側を外側から指で摘み、第一挟持部を開口させ、第二挟持部に釣糸若しくはロッドを挟持させつつ、第一挟持部で他方となるロッド若しくは釣糸を挟持させた状態で、当該釣糸クリーナーをスライドさせ、ロッドの径に応じた挟持に最適な位置に位置決めすることで、簡単に装着することができる。
【００２６】
そして、リールで巻き戻す操作によって、釣糸に付着した障害物（付着物）が、ロッドの一定箇所に固定された本考案に係る釣糸クリーナーの（竿先側の）一端に溜り、これを指等で摘んで除去するだけで、リール等が汚染されることもなく、すぐに釣糸がクリーニングされた状態を確保できる。
【００２７】
また、上記構成によって、第一挟持部と第二挟持部の開閉が、一対の挟持片を片手で摘むか否かによって相対的になされることから、ロッド及び釣糸に対する装着、脱着、再装着、ロッドのみへの装着を簡単に行うことが可能となる。
【００２８】
また上記構成において、前記第一挟持部をロッド挟持部とし、前記第二挟持部を釣糸挟持部とした場合には、前記ばねの弾性力に抗して第二挟持部側を外側から指で摘み、第一挟持部を開口させ、第二挟持部に釣糸を挟持させつつ、第一挟持部でロッド挟持させた状態で、当該釣糸クリーナーをロッドに沿ってスライドさせ、ロッドの径に応じた挟持に最適な位置に位置決めすることで、簡単に装着することができる。
【００２９】
また上記いずれかの考案の構成を前提として、前記釣糸挟持部には、一対の挟持片間に弾性部材を備えたことから、上記いずれかの考案の作用効果を奏する上に、釣糸への負荷を低減しつつ、清掃時の釣糸のスライドを可能とすることができる。
【００３０】
また、下方に向けて仕掛けを投入するような、当該釣糸クリーナーに過度の負担がかからない範囲においては、当該釣糸クリーナーがロッドに固定され、且つ、釣糸とロッドとの間にコンパクトに収まり、釣糸挟持部によって釣糸が適度に挟持されることの相乗効果によって、本考案に係る釣糸クリーナーを装着した状態で、釣りを行うことが可能となる。
【００３１】
そして上記弾性部材は、特にクロロプレンゴム材からなる弾性部材若しくは耐水性フェルト材からなる弾性部材とすることにより、例えば仕掛けの下方への投入、釣糸の巻取りの操作中の釣糸の滑りを特に良好とすることができ、釣糸クリーナーを装着した状態で、快適に釣りを行いつつ、釣りにおける上記一連の動作の都度に、釣糸に付着した障害物（付着物）を本考案に係る釣糸クリーナーの（竿先側の）一端に溜めて、時折これを指等で摘んで除去するだけで、釣りを継続することができる。
【００３２】
また上記いずれかの考案の構成を前提として、前記一対の挟持片をなす各挟持片は、夫々一体形成された構成とした場合には、上記いずれかの考案の作用効果を奏する上に、より軽量且つコンパクトで、生産性にも優れた構成を実現できる。
【００３３】
また上記いずれかの考案の構成を前提として、前記ロッド挟持部には、着脱可能な間隙調整部材を備えたことから、上記いずれかの考案の作用効果を奏する上に、より広範なロッドの外径のサイズに応じて上記釣糸クリーナーを装着することができる。
【図面の簡単な説明】
【００３４】
【図１】本考案の実施例に係る釣糸クリーナーの（ａ）正面図、（ｂ）右側面図である。
【図２】本考案の実施例に係る釣糸クリーナーの（ａ）Ａ−Ａ断面図、（ｂ）釣糸及びロッドに取付けた状態を示す断面説明図である。
【図３】本考案の実施例に係る釣糸クリーナーの使用状態を示す説明図であり、（ａ）はスピニングリール、（ｂ）はベイトリールに対応して示したものである。
【図４】（ａ）本考案の釣糸クリーナーに用いる間隔調整部材（一例）を示す斜視図、（ｂ）当該間隔調整部材を釣竿に取付けて実施例に係る釣糸クリーナーを用いた状態を示す縦断面説明図、（ｃ）本考案の釣糸クリーナーに用いる間隔調整部材（別の一例）を示す斜視図、（ｄ）当該間隔調整部材を実施例に係る釣糸クリーナー側に取付けて使用した状態を示す縦断面説明図である。
【考案を実施するための形態】
【００３５】
以下に本考案の実施例に係る釣糸クリーナーについて説明する。尚、本考案は以下の実施例に限定されるものではなく、本考案の開示する技術的思想の範囲内において、種々の変形、設計変更等した形状、構造、組み合わせに及ぶものである。
【実施例１】
【００３６】
本考案の実施例に係る釣糸クリーナー１は、図１から図３に示すように、一対の挟持片１０ａ、１０ｂと、該一対の挟持片１０ａ、１０ｂの双方に亘って取着され一端となる第一挟持部１ａ（本実施例においてはロッド挟持部）を閉塞するように付勢する金属製のばね手段１１と、他端となる第二挟持部１ｂ（本実施例においては釣糸挟持部）に取着される弾性部材１２とを備えた構成である。
【００３７】
図１（ｂ）、図２（ａ）に示すように、前記挟持片１０ａ、１０ｂはいずれも同一形状を有する合成樹脂製の部品である。前記挟持片１０ａ及び１０ｂの相互を対向して組み合わせ、前記金属製のばね手段１１で固着一体とすることで、一端に前記第一挟持部（ロッド挟持部）１ａ、他端に前記第二挟持部（釣糸挟持部）１ｂを構成する。
前記挟持片１０ａ、１０ｂはいずれも、中央より若干下方位置に前記ばねを通すための中央開口部１００を備え、該中央開口部１００の近傍には、前記ばね手段１１を係止させるための係止部１０１を備える。
また、前記挟持片１０ａ、１０ｂの対向する面の中央には、開閉の支点となる位置に係止突起１３及び係止凹部１４を備える。
各挟持片１０ａ、１０ｂは係止突起１３及び係止凹部１４を一つずつ備えており、一方の挟持片１０ａの係止突起１３と他方の挟持片１０ｂの係止凹部１４、前記一方の挟持片１０ａの係止凹部１４と他方の挟持片１０ｂの係止突起１３とが夫々係止する。
【００３８】
本実施例におけるばね手段１１は、金属製板材をその側面に開口を形成して略筒状とし、その両端の開口縁部を外側へ屈曲させ、止め輪として構成したものである。
当該両端の開口縁部の屈曲部分１１０を、それぞれ挟持片の係止部１０１と係止させることで、挟持片１０ａ、１０ｂを固着一体とするとともに、前記第一挟持部１ａに対してばね弾性を付与する。
【００３９】
本実施例における弾性部材１２は、厚さ２ｍｍ程度のクロロプレンゴム材からなる板状体を用いている。当該弾性部材１２は二つ折りとし、外側面に接着手段を設けた状態で、第二挟持部１ｂを構成する前記一対の挟持片１０ａ、１０ｂに貼着してある。当該構成によって、弾性部材１２は、簡単に交換が可能である。
【００４０】
上記構成を有する本実施例に係る釣糸クリーナー１は、以下に示すように装着することができる。ここでリール４としてスピニングリールを用いた場合（図３（ａ））を一例として説明する。
ロッド２を上方、リール４及び釣糸３を下方として説明すると、先ず、第二挟持部（釣糸保持部）１ｂを下方にむけて釣糸３の上方から当該釣糸クリーナー１を被せ、当該第二挟持部１ｂ内に釣糸３を導入する。第二挟持部１ｂは、最初からある程度開口していることから、特に当該釣糸クリーナー１のばね手段１１に抗した押圧を行うことなく、当該操作を行うことができる。
【００４１】
次に、第二挟持部１ｂを両外側から指で摘み、第一挟持部１ａを開口させる。そして、ロッド２の下方から当該釣糸クリーナー１を持ち上げるように移動させ、第一挟持部１ａをロッド２に取り付ける。
【００４２】
そして、再度僅かに第一挟持部１ａを開口させ、ロッド２の太さに応じた最適な位置へ、当該第一挟持部１ａを移動させる。当該操作によって本実施例に係る釣糸クリーナー１の装着が完了する。
【００４３】
上記装着状態において、リール４で釣糸３を巻き取ると、釣糸３に付着した種々の障害物、例えば、海藻やクラゲ等が、当該釣糸クリーナー１の竿先側の一端に溜ることとなる。
【００４４】
溜まった障害物は、指等で摘んで除去することができる。このため、釣糸クリーナー１よりも竿元側には障害物が入らないため、リール４等が汚染されることを防止することができる。また、下方に向けて仕掛けを投入するような、当該釣糸クリーナーに過度の負担がかからない状況下においては、釣糸クリーナーを装着した状態で釣が行え、その都度、釣糸がクリーニングされるため、快適に釣りを行うことができる。
【００４５】
また、キャスティングによって釣糸クリーナーに過大な負荷がかかるような場合には、障害物の除去後、本実施例に係る釣糸クリーナー１を取り外すことが可能である。当該釣糸クリーナーの取り外しに際しては、当該釣糸クリーナー１を釣糸３に干渉しない状態でロッド２に保持させることができ、再装着を容易とすることができる。
【００４６】
釣糸クリーナーの取り外しについては、例えば、以下の手順で行うことができる。
上記溜まった障害物を除去した後、第二挟持部１ｂを両外側から指で摘み、第一挟持部１ａを開口させ、該第一挟持部１ａをロッド２からずらして外し、次いで、第一挟持部を閉口させる。これに伴い、第二挟持部１ｂから釣糸が取り外し可能となる。
【００４７】
次いで、ロッド２を周方向に例えば４５°〜１８０°程度の範囲で回転させる。この操作は通常ロッド２の把持部を持ったまま行うことが可能である。そして、釣糸３が第二挟持部１ｂから外れた状態で、当該第二挟持部１ｂを両外側から指で摘み、第一挟持部１ａを開口させ、ロッド２に対して、釣糸クリーナー１を取り付ける。以上によって、釣糸クリーナーは釣糸に干渉することなくロッドにのみ保持された状態となり、釣を行うことができる。
【００４８】
そして再装着は、以下の手順で行うことができる。
先ずロッド２を周方向に例えば４５°〜１８０°程度の範囲で回転させる。
上記と同様にこの操作は通常ロッド２の把持部を持ったまま行うことが可能である。
【００４９】
次に、釣糸の両外側から第二挟持部１ｂを指で摘み、第一挟持部１ａを開口させ、該第一挟持部１ａをロッド２からずらして外し、次いで、第一挟持部を閉口させる。これに伴って第二挟持部が開口する。
【００５０】
ロッドを周方向について元の位置に戻して、第二挟持部内に釣糸を導入し、第二挟持部１ｂを両外側から指で摘み、第一挟持部１ａを開口させ、通常の用法と同様に、第一挟持部１ａをロッド２に取り付ける。以上によって再装着が完了する。
尚、図３（ｂ）のベイトリールの場合は、上下を逆として、同様の操作を行うことで釣糸クリーナー１の装着、脱着、再装着が可能となる。
【００５１】
また、ロッド挟持部側には、例えば、ロッド２に装着可能な環状体若しくは筒状体、又は図４（ａ）（ｂ）に示すような筒状体等の一端に軸と平行して切欠部５０を設けて直径を変更可能としたもの（例えば、スペーサ若しくはシム等）を、間隔調整部材５として釣糸クリーナー１との間に介在させることができる。
【００５２】
また間隔調整部材５は、釣糸クリーナー１に装着可能な構成とすることもできる（例えば、図４（ｃ）（ｄ）参照。）。これによって、よりロッド径のより小さい（細い）ロッド２であっても、本考案に係る釣糸クリーナー１を使用できる。
【００５３】
また上記実施例においては、挟持片１０ａ、１０ｂはいずれも合成樹脂によって夫々一体成型した構成であるが、本考案における挟持片の一体形成は、合成樹脂の一体成型品であることに限定されるものではなく、夫々金属によって一体形成したものも含む。
【００５４】
上記実施例においては、弾性部材１２は、操作中の釣糸の滑りを特に良好とすべく、クロロプレンゴム材（例えば、ネオプレン（登録商標））を折曲して用いているが、その形状、材料等は当該実施例に限るものではない。例えば、形状は、一対の板状材を対向させて設けることもできる。また材料としては、例えば、耐水性フェルト材からなる弾性部材としても、操作中の釣糸の滑りを非常に良好とすることができる。その他、各種の天然・合成ゴム、合成樹脂を用いることも可能である。
【００５５】
また上記実施例においては、第一挟持部１ａをロッド挟持部とし、第二挟持部１ｂを釣糸挟持部として構成したものであるが、本考案は上記実施例に限定されるものではなく、例えば、第一挟持部を釣糸挟持部とし、第二挟持部をロッド挟持部とすることも可能である。当該構成とする場合には、釣糸３を強く締付すぎないように、ばね手段１１の弾性力を調節することが可能である。また、第二挟持部にはロッド２の傷付きを防止するために、別途弾性部材等を用いることも可能である。
【００５６】
また上記実施例においてはばね手段１１として止め輪を用いたが、本考案は当該構成に限定されるものではなく、例えばねじりコイルばね等、種々の適用可能な公知のばね手段を用いることが可能である。また、ばね手段を合成樹脂製とすることも可能である。更に合成樹脂製のばね手段を挟持片１０ａ、１０ｂに一体成型することも可能である。
【００５７】
また弾性部材１２の取付については、上記実施例においては両面テープ等による貼着によるものとしたが、本考案においては、弾性部材１２の取付けは、貼着に限るものではなく、種々の公知の固着（接着等を含む）手段、係脱手段を用いることができる。
【符号の説明】
【００５８】
１          釣糸クリーナー
１ａ        第一挟持部
１ｂ        第二挟持部
１０ａ      挟持片
１０ｂ      挟持片
１００      中央開口部
１０１      係止部
１１        ばね手段
１１０      屈曲部分
１２        弾性部材
１３        係止突起
１４        係止凹部
２          ロッド（釣竿）
３          釣糸（ライン）
４          リール
５          間隔調整部材
５０        切欠部
６          付着物（障害物）
【図１】
0003217823.tif 000003
【図２】
0003217823.tif 000004
【図３】
0003217823.tif 000005
【図４】
0003217823.tif 000006
【手続補正書】
【提出日】平成30年7月6日(2018.7.6)
【手続補正１】
【補正対象書類名】実用新案登録請求の範囲
【補正対象項目名】全文
【補正方法】変更
【補正の内容】
【実用新案登録請求の範囲】
【請求項１】
一対の挟持片と該一対の挟持片を閉塞するように付勢するばね手段を有し、該一対の挟持片から構成される第一挟持部を一端側に備え、他端側に前記一対の挟持片から構成され前記付勢力に抗し前記第一挟持部の開口に伴って挟持力を生ずる第二挟持部を備え、
前記第一挟持部若しくは第二挟持部のいずれか一方をロッド挟持部とし、
前記第一挟持部若しくは第二挟持部のいずれか他方を釣糸挟持部としたことを特徴とする釣糸クリーナー。
【請求項２】
前記第一挟持部をロッド挟持部とし、前記第二挟持部を釣糸挟持部としたことを特徴とする請求項１記載の釣糸クリーナー。
【請求項３】
前記釣糸挟持部には、一対の挟持片間に弾性部材を備えたことを特徴とする請求項１又は２記載の釣糸クリーナー。
【請求項４】
前記弾性部材は、クロロプレンゴム材からなる弾性部材若しくは耐水性フェルト材からなる弾性部材であることを特徴とする請求項３に記載の釣糸クリーナー。
【請求項５】
前記一対の挟持片をなす各挟持片は、夫々一体形成されていることを特徴とする請求項１、２、３又は４記載の釣糸クリーナー。
【請求項６】
前記ロッド挟持部における前記一対の挟持片と釣竿との間に介在され、環状体若しくは筒状体又はこれらいずれかの一端からその軸と平行する切欠部を有し直径を変更可能としたものであり、且つ、前記ロッド挟持部から着脱可能である間隙調整部材を備えたことを特徴とする請求項１、２、３、４又は５記載の釣糸クリーナー。